(57)【特許請求の範囲】
【請求項１】
下面(2a)のパネル(5) を開放することによりメンテナンス開口(MK)が形成される装置本体(2) と、
この装置本体(2) 内に風路(F1,F2) を区画すると共に上記メンテナンス開口(MK)を通して挿脱可能な風路区画部材(20)と、
室内から屋外へ排出される排気と屋外から室内へ供給される給気との間で熱交換させる熱交換エレメント(31)と、を備え、
上記風路区画部材(20)は、熱交換エレメント(31)を保持する保持部(51)と、フィルタ(32)を保持する保持部(52)と、フィルタ(32)から脱落するゴミを受ける受け部(50)とを含み、
上記風路区画部材(20)は、屋外から室内への給気風路(F1)を少なくとも区画し、
上記フィルタ(32)は給気風路(F1)に配置され、
上記給気風路の流れ方向(F1)に沿って、受け部(50)、フィルタ(32)、熱交換エレメント(31)の順で配置されることを特徴とする空気調和装置。
【請求項２】
請求項１に記載の空気調和装置(1) において、上記風路区画部材(20)は、給気風路(F1)において熱交換エレメント(31)の下流に付加フィルタ(33)を保持する保持部(53)を含むことを特徴とする空気調和装置。
【請求項３】
請求項１または２に記載の空気調和装置(1) において、上記風路区画部材(20)は、熱交換エレメント(31)を挟持する一対の発泡樹脂からなる分割体(21,22) を組み合わせてなることを特徴とする空気調和装置。
【請求項４】
請求項３に記載の空気調和装置(1) において、上記フィルタ(32)を保持する保持部(52)は、各分割体(21,22) にそれぞれ形成されてフィルタ(32)の周縁を嵌め入れる溝(21e,22e) からなることを特徴とする空気調和装置。
【発明の詳細な説明】
【０００１】
【発明の属する技術分野】
換気装置等の空気調和装置等に関する。例えば、天井裏空間に設置される天井設置型のものに関する。
【０００２】
【従来の技術】
上述の空気調和装置は、天井裏空間に設置される装置本体を有している。この装置本体の下面は、部屋の天井面に沿わせて設置される。装置本体内には、屋外から室内への給気風路および室内から屋外へのの排気風路を流れる空気流間で熱交換する熱交換エレメントと、この熱交換エレメントへ入る空気流中のゴミを捕獲するフィルタとが設けられている。
【０００３】
このフィルタは、通常、予め定める期間毎に清掃や交換等のメンテナンスを要する。メンテナンスの際には、装置本体の下面のパネルを室内側から開いて、下面にメンテナンス用の開口を形成する。この開口を通じてフィルタを清掃したり、着脱したりする。
【０００４】
【発明が解決しようとする課題】
ところで、清掃や交換等の際には、フィルタに捕獲されたゴミがフィルタから脱落して、下方に落下することがある。その結果、メンテナンス用の開口の下方にある室内を汚してしまうことがある。
そこで、本発明の目的は、上述の技術的課題を解決し、フィルタのメンテナンス時に下方の室内が汚れることを防止できる天井設置型の空気調和装置を提供することである。
【０００５】
【課題を解決するための手段】
この目的を達成するため、請求項１に記載の発明の空気調和装置は、下面のパネルを開放することによりメンテナンス開口が形成される装置本体と、この装置本体内に風路を区画すると共に上記メンテナンス開口を通して挿脱可能な風路区画部材と、室内から屋外へ排出される排気と屋外から室内へ供給される給気との間で熱交換させる熱交換エレメントと、を備え、上記風路区画部材は、熱交換エレメントを保持する保持部と、フィルタを保持する保持部と、フィルタから脱落するゴミを受ける受け部とを含み、上記風路区画部材は、屋外から室内への給気風路を少なくとも区画し、上記フィルタは給気風路に配置され、上記給気風路の流れ方向に沿って、受け部、フィルタ、熱交換エレメントの順で配置されることを特徴とする。
【０００６】
この構成によれば、装置本体の下方の室内からパネルを開け、メンテナンス開口を通じて、風路区画部材およびフィルタを一括して取り出すことができる。
例えば、このように取り出す際に、フィルタに付着しているゴミがフィルタから脱落するとしても、受け部で受け止められるので、下方の室内へ落下しない結果、室内が汚れない。
【０００７】
特に、受け部はフィルタと一体に着脱されるので、ゴミを確実に受け止めることができて、しかも、フィルタとともに受け部を取り出した後に、そこに受け止められているゴミを掃除し易い。
また、風路区画部材とフィルタとを一体に扱えるので、装置本体から取り出す際にゴミがフィルタから脱落し難い。
【０００８】
また、上記風路区画部材は、熱交換エレメントを保持する保持部を含む。これにより、熱交換エレメントをも一体に扱えるので、装置本体から取り出す際にゴミがフィルタからより一層脱落し難い。
【０００９】
また、給気風路にあるフィルタでは、屋外からの比較的大きなゴミが捕獲され、フィルタから脱落し易い傾向にあるが、このようなゴミを受け部で受け止めることができる。
【００１０】
また、上記給気風路の流れ方向に沿って、受け部、フィルタ、熱交換エレメントの順で配置される。これにより、ゴミが熱交換エレメント内に流入することをフィルタにより確実に防止でき、また、ゴミがフィルタから脱落しても受け部で確実に受け止めることができる。
【００１１】
請求項２に記載の発明の空気調和装置は、請求項１に記載の空気調和装置において、上記風路区画部材は、給気風路において熱交換エレメントの下流に付加フィルタを保持する保持部を含むことを特徴とする。
この構成によれば、請求項１に記載の発明の作用に加えて、ゴミがフィルタや熱交換エレメントを通過したとしても付加フィルタで捕獲されるので、ゴミの室内への侵入を防止できる。
【００１２】
また、付加フィルタをも一体に扱えるので、装置本体から取り出す際にゴミがフィルタからより一層脱落し難い。
また、目の細かい付加フィルタと、目の粗いフィルタとを組み合わせる場合には、大きなゴミによるフィルタの目詰まりを防止できるので、フィルタのメンテナンスの期間を長くできる結果、ゴミが室内に落下する機会を少なくすることができ、しかも、室内へのゴミの侵入を確実に防止することができる。
【００１３】
請求項３に記載の発明の空気調和装置は、請求項１または２に記載の空気調和装置において、上記風路区画部材は、熱交換エレメントを挟持する一対の発泡樹脂からなる分割体を組み合わせてなることを特徴とする。
この構成によれば、請求項１または２に記載の発明の作用に加えて、一対の分割体を分離すれば、熱交換エレメントを風路区画部材から外すことができる。また、熱交換エレメントを挟持しつつ、一対の分割体を組み合わせれば、これらを一体に扱える。従って、熱交換エレメントをメンテナンスし易い。
【００１４】
また、発泡樹脂製の風路区画部材は、軽量であるので、通常、天井裏空間等の高所に設置される装置本体への着脱に際して、扱い易い結果、フィルタからゴミが落ち難い。
また、発泡樹脂製の風路区画部材は緩衝性を有しているので、装置本体にぶつかったりしても、フィルタからゴミが落ち難い。
【００１５】
ここで、発泡樹脂としては、発泡スチロールを例示できる。
請求項４に記載の発明の空気調和装置は、請求項３に記載の空気調和装置において、上記フィルタを保持する保持部は、各分割体にそれぞれ形成されてフィルタの周縁を嵌め入れる溝からなることを特徴とする。
この構成によれば、請求項３に記載の発明の作用に加えて、溝によりフィルタを保持しつつ、溝とフィルタとの間を封止することができ、封止と保持を、溝にフィルタを嵌めるという簡単な操作で実現できる。
【００１６】
なお、周縁は、フィルタの周縁の一部でもよいが、全周に設ける場合には、確実な封止性と保持性を得ることができる。
【００１７】
【発明の実施の形態】
本発明の一実施の形態の空気調和装置を添付図面を参照しつつ説明する。図１は、本発明の一実施の形態の空気調和装置の概略構成図である。
本空気調和装置１は、屋外から室内への給気および室内から屋外への排気の流れを生成するための装置本体２と、屋外に臨む給気口１１からの空気を装置本体２に流す給気ダクト６と、装置本体２からの吹出空気流を室内に臨む吹出口（図示せず）に流し出す吹出ダクト８と、装置本体２と屋外に臨む排気口１２とを接続する排気ダクト７とを有している。装置本体２は、天井裏空間に配置され、装置本体２の下面２ａには、室内に臨んで吸込口１３が区画されている。これらの各部によって、室内から室外への排気風路と、室外から室内へ給気風路とが形成されている。
【００１８】
給気風路は、給気口１１から、給気ダクト６と、装置本体２内の給気流路と、吹出ダクト８とを通り、吹出口へ至っている（矢印Ｆ１）。
排気風路は、吸込口１３から、装置本体２内の排気流路と、排気ダクト７とを通過し、排気口１２へ至っている（矢印Ｆ２）。
装置本体２は、給気と排気との間で熱交換する熱交換エレメント３１を含む熱交換ユニット３と、熱交換ユニット３に接続されて一対の送風ファン４１，４２を含むファンユニット４と、ファンユニット４の下面に設けられて上述の吸込口１３を区画するパネル５とを有している。
【００１９】
熱交換ユニット３は、給気風路の一部である給気流路と、排気風路の一部である排気流路とを内部に有し、熱交換エレメント３１で給気流路と排気流路とを流れる空気の間で熱交換する。給気流路の上流側端部は、給気ダクト６と接続され、給気流路の下流側端部は、ファンユニット４の吸入口４４に接続されている。また排気流路の上流側端部は、ファンユニット４の流出口４５に接続され、排気流路の下流側端部は、排気ダクト７に接続されている。
【００２０】
ファンユニット４は、給気風路の一部である給気流路と、排気風路の一部である排気流路とを内部に有している。給気流路は、その上流側端部に上述の吸入口４４を有しており、途中に送風ファン４１が設けられ、下流側端部で吹出ダクト８につながっている。また、排気流路は、上流側端部でパネル５の吸込口１３につながり、途中に送風ファン４２が設けられ、下流側端部に流出口４５を有している。一対の送風ファン４１，４２は、共通のモータ４３で駆動される。
【００２１】
本空気調和装置１では、モータ４３が駆動されると、送風ファン４１により給気風路に空気が流れ、送風ファン４２により排気風路に空気が流れる。熱交換エレメント３１で給気と排気との間で熱交換がなされ、室内と屋外との間で換気が行われる。
また、パネル５は、天井面Ｔに沿って開閉可能に設置されている。パネル５を開放することによりメンテナンス開口ＭＫが天井面Ｔに形成される。このメンテナンス開口ＭＫを通じて、ファンユニット４や熱交換ユニット３に対して清掃や交換等のメンテナンスをすることができる。例えば、ファンユニット４を取り外すと、熱交換ユニット３の風路区画部材２０を、メンテナンス開口ＭＫを通じて挿脱することができる。
【００２２】
ところで、このように天井にあるような高所の開口を通じてメンテナンス作業する場合、熱交換ユニット３のフィルタ３２に付着しているゴミ等が下方の室内に落下して室内を汚すことが想定される。
本空気調和装置１では、熱交換ユニット３の風路区画部材２０にゴミを受ける受け部５０（図２参照）を設けて、ゴミの室内への落下を防止している。
【００２３】
以下、詳細に説明する。
図２は、熱交換ユニットの分解斜視図である。図３〜図９は、熱交換ユニットを示し、必要に応じて各図を参照する。また、各図には、左右方向を示す矢印Ｘ、前後方向を示す矢印Ｙ、上下方向を示す矢印Ｚを図示している。
熱交換ユニット３は、複数、例えば、２つの熱交換エレメント３１と、２つの熱交換エレメント３１の間に配置される発泡スチロール製の仕切板２５と、熱交換エレメント３１への空気中のゴミを除去するフィルタ３２と、フィルタ３２よりも下流側に配置される付加フィルタ３３と、これら各部を保持しつつ給気流路および排気流路を区画する風路区画部材２０と、これら各部を収容する上ケーシング２３および下ケーシング２４とを有している。
【００２４】
上ケーシング２３および下ケーシング２４は、金属板材で形成されており、  互いに組み合わされて箱を形成し、その内部に上述の各部を収容している。また、上ケーシング２３および下ケーシング２４は、風路区画部材２０と協働して、給気流路および排気流路の一部を区画している。
風路区画部材２０は、一対の分割体としての第１ケーシング２１と第２ケーシング２２とを組み合わせて構成されている。第１ケーシング２１および第２ケーシング２２は、発泡樹脂、例えば、発泡スチロールで形成されている。第１ケーシング２１の上に第２ケーシング２２が配置され、それらの間に２つの熱交換エレメント３１、フィルタ３２、および付加フィルタ３３が挟持されている。
【００２５】
フィルタ３２は、繊維状部材であり、矩形の板状に形成されている。
付加フィルタ３３は、フィルタ３２よりも細かい目の濾材の周縁を四角環状の枠で保持したものである。
熱交換エレメント３１は、略直方体形状を有し、その一の面（例えば、上面）に入口と出口とを有した第１の風路と、一の面と反対側の他の面（例えば、下面）に入口と出口とを有した第２の風路とを区画し、第１の風路および第２の風路を流れる空気の間で熱交換する。熱交換エレメント３１は、断面波形の単一の伝熱シート６１と、この伝熱シート６１を保持する環状の枠体６２と、枠体６２および伝熱シート６１に支持されつつ伝熱シート６１の表面との間に上述の風路を区画する一対の区画材６３とを備えている。一対の区画材６３は、伝熱シート６１の両面の波形の頂部６１ｍにそれぞれ沿って波形を横断し、波形の頂部６１ｍが延びる方向（矢印Ｘの方向）の中間部に配置され、矢印Ｘの方向に沿って区画材６３の前後に各風路の入口と出口とが設けられている。
【００２６】
一対の熱交換エレメント３１は、伝熱シート６１の波形の延びる方向を一致させつつ、区画材６３同士の間に仕切板２５を介在させて配置されている。
上側の熱交換エレメント３１の下面側の風路、および下側の熱交換エレメント３１の上面側の風路が、給気流路の一部を構成している。また、上側の熱交換エレメント３１の上面側の風路、および下側の熱交換エレメント３１の下面側の風路が、排気流路の一部を構成している。2 つの熱交換エレメント３１は、給気流路および排気流路の流れに対して並列に配置されている。熱交換エレメント３１内では、図４および図５に示すように、給気風路の流れ（矢印Ｆ１）と排気風路の流れ（矢印Ｆ２）とが逆向きになっている。
【００２７】
風路区画部材２０は、内部に２つの熱交換エレメント３１を保持する保持部５１と、フィルタ３２を保持する保持部５２と、付加フィルタ３３を保持する保持部５３と、仕切板２５を保持する保持部５５と、フィルタ３２から脱落するゴミを受ける受け部５０とを含んでいる。
受け部５０、フィルタ３２、熱交換エレメント３１、付加フィルタ３３の順で、給気風路の流れ方向に沿って配置されている。
【００２８】
また、風路区画部材２０内には、図４と図５に示すように、給気流路を構成する各室、すなわち、給気ダクト６からの空気を受け入れる給気入口室２０ａと、この給気入口室２０ａと開口２０ｂ（図７にハッチングを施した部分）を通じて連通する第１室２０ｃ、第１室２０ｃと一対の熱交換エレメント３１内の風路を通じて連通する第２室２０ｄと、第２室２０ｄと開口２０ｅを通じて連通しファンユニット４の吸入口４４へつながる給気出口室２０ｆとが区画されている。第１室２０ｃおよび第２室２０ｄは、一対の熱交換エレメント３１の間に、仕切板２５、第１ケーシング２１および第２ケーシング２２により区画されている。
【００２９】
また、風路区画部材２０内には、排気流路を構成する各室、すなわち、ファンユニット４の流出口４５からの空気を受け入れる排気入口室２０ｇと、排気入口室２０ｇと開口２０ｈを通じて連通する第３室２０ｊと、第３室２０ｊと上側の熱交換エレメント３１の風路を通じて連通する第５室２０ｍと、排気入口室２０ｇと開口２０ｉを通じて連通する第４室２０ｋと、第４室２０ｋと下側の熱交換エレメント３１の風路を通じて連通する第６室２０ｎと、第５室２０ｍと開口２０ｏを通じて連通しつつ第６室２０ｎと開口２０ｐを通じて連通して排気ダクト７へつながる排気出口室２０ｑとを有している。開口２０ｏおよび開口２０ｐは、図７にハッチングを施して図示されている。第３室２０ｊおよび第５室２０ｍは、上側の熱交換エレメント３１の上面に沿って区画され、第４室２０ｋおよび第６室２０ｎは、下側の熱交換エレメント３１の下面に沿って区画され、これらの流路の一部は、上ケーシング２３および下ケーシング２４によって区画されている。第３室２０ｊおよび第４室２０ｋは、互いに連通する小室群からなっている。
【００３０】
受け部５０は、給気入口室２０ａの下面となる第１ケーシング２１の部分に形成されている。受け部５０は、給気ダクト６を通じて侵入すると想定されるゴミを、フィルタから脱落したときに十分に受けることのできるような大きさに形成されている。また、予め設定されたメンテナンス期間中のゴミを溜めることができる大きさを有している。また、受け部５０は、給気入口室２０ａを区画する風路区画部材２０の各部および下ケーシング２４で囲まれているので、受けたゴミがこぼれない。受け部５０は、フィルタ３２の流れ方向に関して直前に設けられている。
【００３１】
フィルタ３２用の保持部５２は、給気入口室２０ａを区画する、第１ケーシング２１の面に形成された溝２１ｅと、第２ケーシング２２の面に形成された溝２２ｅとからなる。これらの溝は、フィルタ３２の全周縁を嵌め入れて保持する。このように、フィルタ３２を溝内に嵌めるので、がたつきなく確実に保持でき、しかもフィルタ３２と溝との間を封止できる。その結果、ゴミの通過を防止することができる。
【００３２】
熱交換エレメント３１のための保持部５１は、第１ケーシング２１の上面に形成される凹部と、第２ケーシング２２の下面に形成される凹部とで構成されている。両凹部は、互いに対向し、その間に２つの熱交換エレメント３１を挟持している。第１ケーシング２１の凹部は、下側の熱交換エレメント３１の区画材６３と当接する面２１ａと、下側の熱交換エレメント３１の枠体６２の前後左右の周囲と当接する互いに対向する４つの面２１ｂとで区画され、その内部に下側の熱交換エレメント３１を収容している。同様に、第２ケーシング２２の凹部は、上側の熱交換エレメント３１の区画材６３と当接する面２２ａと枠体６２と当接する４つの面２２ｂとで区画され、その内部に上側の熱交換エレメント３１を収容している。このように、保持部５１で、２つの熱交換エレメント３１は、全方向に確実に保持されている。
【００３３】
付加フィルタ３３用の保持部５３は、給気出口室２０ｆを区画する、第１ケーシング２１および第２ケーシング２２の複数の面で構成されている。これらの面は、互いに対向する一対の面を２組含み、一対の面同士の間に、付加フィルタ３３の枠の周縁を嵌め入れて保持する。
仕切板２５用の保持部５５は、図６に示すように、第１ケーシング２１前面および後面に形成された凹部２１ｃと、第２ケーシング２２前面および後面に形成された凹部２２ｃとを含み、凹部２１ｃおよび凹部２２ｃは、互いに対向して、その内部に仕切板２５の端部を嵌めて保持する。
【００３４】
また、第１ケーシング２１および第２ケーシング２２の接合部２０ｒは、図７および図８に示すように、互いに嵌まり合う段差に形成され、接合部２０ｒでの空気の漏れを防止している。
このように、本空気調和装置１では、万一、運転時にゴミを吸い込むことがあったとしても、フィルタ３２および付加フィルタ３３で捕獲することができる。また、比較的に大きなゴミは、フィルタ３２に付着したり、フィルタ３２から脱落して受け部５０で受け止められる。
【００３５】
メンテナンス時には、装置本体２の下方の室内からパネル５を開け、メンテナンス開口ＭＫを通じて、風路区画部材２０、フィルタ３２、熱交換エレメント３１、付加フィルタ３３等を一括して取り出すことができる。このとき、風路区画部材２０は傾けられるが、フィルタ３２を挟んでメンテナンス開口と反対側に受け部５０があるので、受け部５０とフィルタ３２とでゴミを受け止めることができ、ゴミは散乱しない。
【００３６】
このような取り外し時にゴミがフィルタ３２から脱落したとしても、受け部５０で受け止められるので、下方に落下することがなく、清潔に作業できる。
取り外した第１ケーシング２１および第２ケーシング２２を分離して、熱交換エレメント３１やフィルタ３２を風路区画部材２０から外すことができる。また、熱交換エレメント３１やフィルタ３２を挟持しつつ、第１ケーシング２１および第２ケーシング２２を組み合わせて、これらを一体にして装着し易い。
【００３７】
このように本実施の形態によれば、風路区画部材２０は、フィルタ３２の保持部５２と受け部５０とを含むので、フィルタ３２を取り出す際に、フィルタ３２に付着しているゴミがフィルタ３２から脱落するとしても、ゴミは受け部５０で受け止められる結果、下方の室内へ落下せず、室内が汚れない。
特に、受け部５０はフィルタ３２と一体に着脱されるので、ゴミを確実に受け止めることができて、しかも、フィルタ３２とともに受け部５０を取り出した後に、そこに受け止められているゴミを掃除し易い。
【００３８】
また、フィルタ３２とこれを保持する風路区画部材２０とを一体に扱えるので、装置本体２から取り出す際にゴミがフィルタ３２から脱落し難い。
また、風路区画部材２０は、熱交換エレメント３１をも保持しているので、熱交換エレメント３１も一体に扱える。その結果、熱交換エレメント３１とフィルタ３２とを一度の操作で取り出せるので、装置本体から取り出す際にゴミがフィルタからより一層脱落し難い。
【００３９】
また、給気風路では、屋外からの比較的大きなゴミがフィルタ３２で捕獲され、フィルタ３２から脱落し易い傾向にあることから、給気風路に受け部５０とフィルタ３２とを設けるのが好ましい。
また、給気風路の流れ方向に沿って、受け部５０、フィルタ３２、熱交換エレメント３１の順で配置されているので、給気風路に侵入したゴミが熱交換エレメント３１内に流入することをフィルタ３２により確実に防止でき、また、ゴミがフィルタ３２から脱落しても受け部５０で確実に受け止めることができる。
【００４０】
また、給気風路には、フィルタ３２と付加フィルタ３３とが設けられているので、ゴミがフィルタ３２や熱交換エレメント３１を通過したとしても付加フィルタ３３で捕獲される結果、給気風路を通じてのゴミの室内への侵入を防止できる。
また、風路区画部材２０と付加フィルタ３３とを一体に扱えるので、付加フィルタ３３とフィルタ３２と風路区画部材２０とを一度の操作で取り外せて、装置本体２から取り出す際にゴミがフィルタ３２からより一層脱落し難い。
【００４１】
また、目の細かい付加フィルタ３３と、目の粗いフィルタ３２とを組み合わせる場合には、大きなゴミによるフィルタ３２の目詰まりを防止できるので、フィルタ３２のメンテナンスの期間を長くできる結果、ゴミが室内に落下する機会を少なくすることができる。しかも、室内へのゴミの侵入を付加フィルタ３３により確実に防止することができる。
【００４２】
また、熱交換エレメント３１は、第１ケーシング２１および第２ケーシング２２で挟持されているので、簡単な操作で取り出したり保持したりできる結果、熱交換エレメント３１をメンテナンスし易い。
また、発泡樹脂製の風路区画部材２０は、軽量であるので、通常、天井裏空間等の高所に設置される装置本体２への着脱に際して、扱い易い。その結果、フィルタ３２からゴミが落ち難い。
【００４３】
また、発泡樹脂製の風路区画部材２０は緩衝性を有しているので、メンテナンス開口等にぶつかったりしても、フィルタ３２からゴミが落ち難い。
また、保持部５２の溝は、フィルタ３２を保持しつつフィルタ３２との間を封止できるので、保持と封止とが溝にフィルタ３２を嵌めるという簡単な操作で行える結果、フィルタ３２をメンテナンスし易い。
【００４４】
受け部５０は、風路区画部材２０に一体に形成されているので、構造を簡素化できる。
なお、空気調和装置１では、パネル５を開放して、天井面Ｔにメンテナンス開口ＭＫを形成し、熱交換ユニット３を挿脱できるようになっていたが、これには限定されない。例えば、装置本体の下面にメンテナンス開口が形成され、ここを通じて、フィルタおよび風路形成部材を取り出すようにしてもよい。
【００４５】
また、熱交換エレメント３１は、例えば、平板状の伝熱シートを積層して風路を交互に交差方向に形成した直交流型の熱交換エレメントでもよい。
また、付加フィルタ３３は、濾材を有するものの他、光を受けて汚染物質を浄化する光触媒を担持するものでもよい。
また、フィルタ３２用の保持部５２は、上述の溝の他、付加フィルタ３３用の保持部５３のような面で構成してもよい。また、フィルタ３２の周縁の少なくとも一部を保持するものでもよいが、全周を保持するものであれば、確実な封止性および保持性を得られて好ましい。
【００４６】
その他、本発明の要旨を変更しない範囲で種々の設計変更を施すことが可能である。
【００４７】
【発明の効果】
請求項１に記載の発明によれば、フィルタに付着しているゴミがフィルタから脱落するとしても、受け部で受け止めるので、下方の室内が汚れない。
特に、受け部はフィルタと一体に装置本体から着脱されるので、ゴミを確実に受け止めることができて、しかも、そこのゴミを掃除し易い。
【００４８】
また、風路区画部材とフィルタとを一体に扱えるので、装置本体から取り出す際にゴミがフィルタから脱落し難い。
また、風路区画部材と熱交換エレメントとを一体に扱えるので、装置本体から取り出す際にゴミがフィルタからより一層脱落し難い。
【００４９】
また、屋外からの比較的大きくてフィルタから脱落し易い傾向のゴミを受け部で受け止めることができる。
また、給気風路の流れに沿って受け部、フィルタ、熱交換エレメントを順に配置したので、ゴミが熱交換エレメント内に流入することを確実に防止でき、また、ゴミがフィルタから脱落しても受け部で確実に受け止めることができる。
【００５０】
請求項２に記載の発明によれば、請求項１に記載の発明の効果に加えて、付加フィルタがゴミの室内への侵入を防止できる。また、風路区画部材と付加フィルタとを一体に扱えるので、装置本体から取り出す際にゴミがフィルタからより一層脱落し難い。
また、目の細かい付加フィルタと、目の粗いフィルタとを組み合わせる場合には、フィルタを長期間使用できて、ゴミが室内に落下する機会を少なくすることができ、しかも、室内へのゴミの侵入を確実に防止することができる。
【００５１】
請求項３に記載の発明によれば、請求項１または２に記載の発明の効果に加えて、一対の分割体を組み合わせた風路区画部材で熱交換エレメントを挟持しているので、熱交換エレメントをメンテナンスし易い。
また、発泡樹脂製の風路区画部材は、軽量で扱い易く、しかも、緩衝性を有しているので、フィルタからゴミが落ち難い。
【００５２】
請求項４に記載の発明によれば、請求項３に記載の発明の効果に加えて、風路区画部材の溝にフィルタを嵌めて保持できるので、簡単な操作で済む。
【図面の簡単な説明】
【図１】本発明の一実施の形態の空気調和装置の概略構成図である。
【図２】図１の熱交換ユニットの分解斜視図である。
【図３】図１の熱交換ユニットの平面図である。
【図４】図１の熱交換ユニットの断面正面図であり、図３のＡ−Ａ断面を示す。
【図５】図１の熱交換ユニットの断面正面図であり、図３のＢ−Ｂ断面を示す。
【図６】図１の熱交換ユニットの断面側面図であり、図３のＣ−Ｃ断面を示す。
【図７】図１の熱交換ユニットの左側面図である。
【図８】図１の熱交換ユニットの右側面図である。
【図９】図１の熱交換ユニットの下面図である。
【符号の説明】
１  空気調和装置
２  装置本体
２ａ  下面
５  パネル
２０  風路区画部材
２１  第１ケーシング（分割体）
２２  第２ケーシング（分割体）
２１ｅ，２２ｅ  溝
３１  熱交換エレメント
３２  フィルタ
３３  付加フィルタ
５０  受け部
５１  保持部
５２  保持部
５３  保持部
ＭＫ  メンテナンス開口
Ｆ１  給気風路
【図１】
0004134397.tif 000002
【図２】
0004134397.tif 000003
【図３】
0004134397.tif 000004
【図４】
0004134397.tif 000005
【図５】
0004134397.tif 000006
【図６】
0004134397.tif 000007
【図７】
0004134397.tif 000008
【図８】
0004134397.tif 000009
【図９】
0004134397.tif 000010